(57)【要約】【課題】保護筒に配線等を容易に挿入したり、構成部材を簡易にして低コスト化する。【解決手段】正面が略矩形枠状で内部に収納空間２を有した２分割体と成し、２分割体の一対の収納体８、11は長手方向で屈曲自在な蛇腹部３、3a…と屈曲不可能な連結体取付部４、4a…を交互に一体形成し、連結体取付部４、4a…の側面の連結部12に連結体５、5a…を設けて一側を開口自在と成すことによって、保護筒１の一側面の連結体５、5a…および上部収納体11の開閉回動操作で挿通開口を設けて、下部収納体８に配線等を挿入配置する。【選択図】図２
2005312256.tif 000002
【特許請求の範囲】
【請求項１】
正面が略矩形枠状で内部に収納空間を有した２分割体と成し、２分割体の一対の上下部
収納体は長手方向で屈曲自在な蛇腹部と屈曲不可能な連結体取付部を交互に一体形成し、
連結体取付部の側面に少なくとも一側を開口自在と成す連結手段を設けたことを特徴とす
る配線保護筒。
【請求項２】
凹状の下部収納体と逆凹状の上部収納体を突き合わせて内部に収納空間を有した正面が
略矩形枠状と成し、一対の上下部収納体は長手方向で屈曲自在な蛇腹部と屈曲不可能な連
結体取付部を交互に一体形成し、連結体取付部の側面に少なくとも一側を開口自在と成す
連結手段を設けたことを特徴とする配線保護筒。
【請求項３】
上部収納体の定間隔の連結体取付部を長手方向で２分割して複数個の単位上部収納体を
長手方向に連続配置したことを特徴とする請求項１又は２記載の配線保護筒。
【請求項４】
下部収納体は、正面が凹状で長手方向が屈曲自在な蛇腹部と屈曲不可能な連結体取付部
を交互に一体形成し、下部収納体の連結体取付部に、該連結体取付部と同長で屈曲不可能
で連結体取付部となる上部収納体を突き合わせると共に、下部収納体の連結体取付部と上
部収納体に少なくとも一側を開口自在と成す連結手段を設けたことを特徴とする配線保護
筒。
【請求項５】
少なくとも一側を開口自在と成す連結手段は、一対の収納体の側面に連結部を夫々設け
ると共に、該連結部に着脱自在な連結体を取付けたことを特徴とする請求項１、２、３又
は４記載の配線保護筒。
【請求項６】
一対の収納体における連結体取付部の側板の外側に連結突起を設けると共に、連結体は
連結側板の上下に一対の断面円形状の嵌合棒体を一体形成し、上下の連結突起に設けた円
形状の嵌合凹部に嵌合棒体を係脱自在と成したことを特徴とする請求項５記載の配線保護
筒。
【請求項７】
連結体における下方の嵌合棒体に、連結突起における嵌合凹部への入口開口に位置する
回動止突起を設けたことを特徴とする請求項６記載の配線保護筒。
【請求項８】
連結突起は長手方向に所定間隔の空隙部を有して一対のものと成すと共に、連結側板に
嵌合棒体を設けた一対の単位連結体部材を連結材を介した一体化の連結体と成し、連結材
及び単位連結体部材における内側の連結側板を空隙部に嵌合自在と成したことを特徴とす
る請求項６又は７記載の配線保護筒。
【請求項９】
一対の収納体の連結体取付部における突き合わせ面に、相互嵌合する係合凸部および係
合凹部を夫々設けたことを特徴とする請求項１、２、３、４、５、６、７又は８記載の配
線保護筒。
【請求項１０】
少なくとも一側を開口自在と成す連結手段は、両側共に係合離脱自在な係合部材と被係
合部材と成したことを特徴とする請求項１、２、３又は４記載の配線保護筒。
【請求項１１】
少なくとも一側を開口自在と成す連結手段は、一側を下部収納体に対して上部収納体が
揺動自在な接続手段と成すと共に、他側を係合離脱自在な係合部材および被係合部材と成
したことを特徴とする請求項１、２、３又は４記載の配線保護筒。
【請求項１２】
蛇腹波形部の接合側端面における谷部に面板を設けたことを特徴とする請求項１、２又
は３記載の配線保護筒。
【請求項１３】
蛇腹波形部における山部頂端を肉厚部と成したことを特徴とする請求項１、２又は３記
載の配線保護筒。
【請求項１４】
収納体の少なくとも突き合わせ面を摩擦低下材質と成したことを特徴とする請求項１、
２又は３記載の配線保護筒。
【請求項１５】
少なくとも一方の収納体を透明と成したことを特徴とする請求項１、２又は３記載の配
線保護筒。
【発明の詳細な説明】
【技術分野】
【０００１】
本発明は、本体フレーム上で移動自在な移動体を設けた各種装置において、本体と移動
体の間で電力、信号、エアーや油等の流体を供給したり伝達する配線や配管を挿通して保
護する配線保護筒に関する。
【背景技術】
【０００２】
従来、本体と移動体の間で電力、信号等を供給、伝達する配線等を挿通する保護筒にあ
っては、その両端部に設けた取付金具を本体及び移動体に取付けることにより、中間に円
弧状屈曲部を有した全体的にＵ字状に取付けられ、移動体の移動により屈曲部が移動して
、保護筒が走行する様になっている。
【０００３】
保護筒としては、収納空間が略矩形状で少なくとも１方向に屈曲可能な構成を有してお
り、全体的に蛇腹形状のコルゲートチューブや単位部材連結型のものが提案されている。
蛇腹状のコルゲートチューブは収納空間に配線を挿通することが容易ではなく、且つ、
複数の配線の両端には端子やコネクタを取付けているため、複数のものを同時に挿通する
ことが困難であったり、大きさによっては挿通出来なかったり、更に、配線挿通後に端子
等を取付けねばならなかった。
他方、単位部材連結型の保護筒では、部材構成や連結構成が複雑であった。
【０００４】
研究開発段階や出願段階で先行技術調査を行っておらず、記載すべき先行技術文献を知
りません。
【発明の開示】
【発明が解決しようとする課題】
【０００５】
本発明は、保護筒に配線等を挿入することを容易と成したり、構成部材を簡易にして低
コスト化する様にした配線保護筒を提供する。
【課題を解決するための手段】
【０００６】
本発明は、上記従来技術に基づく、簡易構成で配線の挿通を容易とすべき課題に鑑み、
正面が略矩形枠状で内部に収納空間を有した２分割体と成し、２分割体の一対の収納体は
長手方向で屈曲自在な蛇腹部と屈曲不可能な連結体取付部を交互に一体形成し、連結体取
付部の側面の連結部に連結体を設けて少なくとも一側を開口自在と成すことによって、一
対の収納体と連結体だけで簡易構成と成した保護筒で配線を保護し、保護筒における一側
面の連結体および一方の収納体の開閉回動操作で保護筒の周面軸方向に挿通開口を設けて
、他方の収納体に配線等を挿入配置する様にして、上記課題を解決する。
【発明の効果】
【０００７】
要するに本発明は、正面が略矩形枠状で内部に収納空間を有した２分割体と成したので
、端子取付済の配線等の挿通配置を容易に行うことが出来、又２分割体の一対の上下部収
納体は長手方向で屈曲自在な蛇腹部と屈曲不可能な連結体取付部を交互に一体形成したの
で、中間に屈曲部を有したＵ字状の配置形態とすることが出来ると共に、摺接部が僅少で
粉塵発生を抑制することが出来、又連結体取付部の側面に少なくとも一側を開口自在と成
す連結手段を設けたので、２分割体の収納体を突き合せて略矩形枠状に組付形成すること
が出来ると共に、配線挿通口の開閉操作を容易に行うことが出来る。
又、構成部材は一体成形の一対の収納体と連結手段だけで、部材構成や連結構成を簡易
化して低コスト化することが出来、又蛇腹部と連結体取付部を交互とした構成により、蛇
腹部で円弧変形可能な２体の長尺収納体を、剛性を有した連結体取付部を利用して略矩形
枠状に堅固に結合することが出来、更に、リブ等で連結体取付部の下端より蛇腹部の下端
を高く設定することにより、蛇腹部が走行路に接触せずに接触劣化を防止することが出来
る。
【０００８】
凹状の下部収納体と逆凹状の上部収納体を突き合わせて内部に収納空間を有した正面が
略矩形枠状の保護筒と成したので、上記構成のものと同様に配線等の挿通配置を容易に行
うことが出来る。
【０００９】
上部収納体の定間隔の連結体取付部を長手方向で２分割したので、前後両端に分割部を
有した単位上部収納体を前後両端も含めて全体的に下部収納体に結合することが出来、又
複数個の単位上部収納体を長手方向に連続配置したので、所定長さの短尺の単位上部収納
体は前後部材に関係なく独立して、下部収納体に対する開閉結合操作等を容易に行うこと
が出来る。
【００１０】
下部収納体の連結体取付部に、該連結体取付部と同長で屈曲不可能で連結体取付部とな
る上部収納体を突き合わせたので、保護筒の上部は短長の上部蓋体である上部収納体だけ
で、収納空間内の挿通電線を一目で確認することが出来たり、前後方向で単独状態の上部
蓋体を容易に開閉操作することが出来る。
【００１１】
少なくとも一側を開口自在と成す連結手段は、一対の収納体の側面に連結部を夫々設け
ると共に、該連結部に着脱自在な連結体を取付けたので、連結部と連結体の組み合わせに
より、用途に応じた種々な形態を設定することが出来る。
【００１２】
一対の収納体における連結体取付部の側板の外側に連結突起を設けたので、外側より一
対の収納体の開閉操作を容易に行うことが出来ると共に、収納空間へ操作しないことで挿
通配線を損傷することが無く、更に、左右両側のどちら側からも開閉操作を行うことが出
来、又連結体は連結側板の上下に一対の断面円形状の嵌合棒体を一体形成し、上下の連結
突起に設けた円形状の嵌合凹部に嵌合棒体を係脱自在と成したので、嵌合凹部に対して係
脱自在な嵌合棒体は両者が円形状で回動自在であり、開放側ではロック解除した連結体を
回動退避させ、連結側では連結体も後方回動傾斜して、挿通開口を大きくして、配線の挿
通作業を容易に行うことが出来る。
【００１３】
連結体における下方の嵌合棒体に、連結突起における嵌合凹部への入口開口に位置する
回動止突起を設けたので、基点連結側の連結体が下部収納体に対して揺動せず固定状態で
あることにより、上部収納体の上方揺動を容易に行うことが出来ると共に、手前側および
上方側が全面開口となって配線等の挿通を極めて容易に行うことが出来、閉鎖時において
も基点連結側の連結体が固定状態であることにより、下部収納体に対して上部収納体を確
実に突き合わせて閉鎖することが出来る。
【００１４】
連結突起は長手方向に所定間隔の空隙部を有した一対のものと成すと共に、連結側板に
嵌合棒体を設けた一対の単位連結体部材を連結材を介した一体化の連結体と成したので、
係脱部が長手方向で一対の複数個所となって接合状態をより堅固にすることが出来、又連
結材及び単位連結体部材における内側の連結側板を空隙部に嵌合自在と成したので、連結
体の係脱操作を空隙部に嵌合する連結材等に対してドライバー等の工具を利用して容易に
行うことが出来る。
【００１５】
一対の収納体の連結体取付部における突き合わせ面に、相互嵌合する係合凸部および係
合凹部を夫々設けたので、一対の収納体の位置決め接合により、連結体による堅固な接合
組付を容易に行うことが出来る。
【００１６】
少なくとも一側を開口自在と成す連結手段は、両側共に係合離脱自在な係合部材と被係
合部材と成したり、一側を下部収納体に対して上部収納体が揺動自在な接続手段と成すと
共に、他側を係合離脱自在な係合部材および被係合部材と成したので、用途に応じた一側
開口や両側開口を設定することが出来たり、別途部材を使用せずに簡易構成とすることが
出来る。
【００１７】
蛇腹波形部の接合側端面における谷部に面板を設けたり、蛇腹波形部における山部頂端
を肉厚部と成したので、蛇腹部の強度、耐久性を向上することが出来、特に前者の場合、
上下部収納体の面板同志が面接触になるため、屈曲移動性能の向上を図ると共に、更なる
低粉塵化を図ることが出来る。
【００１８】
収納体の少なくとも突き合わせ面を摩擦低下材質と成したので、円弧状屈曲部で突き合
わせ面が摺接、接離しても、収納体同志での摩擦が低下して、低粉塵化や低音化を図るこ
とが出来、又少なくとも一方の収納体を透明と成したので、収納空間内に収納した配線状
態を容易に確認することが出来る等その実用的効果甚だ大である。
【発明を実施するための最良の形態】
【００１９】
以下、本発明の一実施形態を図面に基づいて説明する。
図１は本体および移動体に取付けられる配線保護筒の配置・走行状態を示す概略図、図
２は配線保護筒の部分平面図、図３は図２の側面図、図４は図２のＡ−Ａ断面図、図５は
保護筒を操作して挿通開口を設けた配線挿通時の断面図（図２のＡ−Ａ断面位置）である
。
又、図６以降は改良例、応用例等を示し、図６、７は上部収納体の改良例等、図８、９
は開口状態の改良例、図１０〜１２は蛇腹部の改良例、図１３〜１８は上下分収納体の他
の結合例を示す図であり、以下、図１〜５に示す基本形態について説明する。
【００２０】
本発明の配線保護筒は装置本体に移動体が設けられた各種装置、例えば、工作機械、搬
送装置、製造装置等の各種産業装置に使用され、特に、粉塵問題を有するクリーンルーム
に設置したＩＣ組込装置、製造装置等の各種装置に使用され、或いは、スライドドアを有
する車両に使用される。
本体と移動体への取付例としては、図１に示す様に、保護筒の両端に取付金具を取付け
て本体と移動体に接続し、２辺の直線部と中間の円弧状屈曲部で全体的にＵ字状に取付け
、移動体の移動により円弧状屈曲部が移動して走行する様に取付ける。
【００２１】
図２、３、４に示す様に、合成樹脂製の保護筒１は内部を収納空間２とする正面略矩形
枠状の上下２分割体で、該上下２分割体は長手方向では屈曲可能な蛇腹部３、3a…と屈曲
不可能な連結体取付部４、4a…を交互に設けた一体形成と成し、連結体取付部４、4a…の
両側で係脱自在な連結体５、5a…により上下２分割体を、少なくとも一側を開口自在に組
付けている。
組付時に略矩形枠状となる同一形状の上下２分割体は、底板６両端から上方屈曲させて
側板７、7aを一体形成した凹状の下部収納体８と、天板９両端から下方屈曲させて側板10
、10a を一体形成した逆凹状の上部収納体11から成り、上下の側板７、7a、10、10a は組
付時において突き合わせ状態と成っている。
尚、下部収納体８と上部収納体11は、夫々同一形状で同一部材を天地逆構成と成して組
み付けており、上下２分割体の一方を下部収納体８、他方を上部収納体11と称しているが
、各種装置の本体と移動体へのＵ字状組付状態における平行２辺の直線部では天地逆配置
と成り、本件明細書ではＵ字状組付前の直線状態における配線挿通時を基準として上下部
の名称を付しているが、天地逆でも良い。
又、本体と移動体への取付例は、上下以外で、同一高さで水平配置するものにも使用可
能であり、上下部の名称は配線挿通時を基準としている。
或いは、上下部の名称はＵ字状組付状態において、円弧状屈曲部で外側となるものを下
部収納体８、内側となるものを上部収納体11と称している。
【００２２】
組付けで略矩形枠となる２分割体で一対の上下部収納体８、11における蛇腹部３、3a…
は薄肉略波状で、屈曲自在である一方、連結体取付部４、4a…は肉厚状で剛性を有した屈
曲不可能と成すと共に、両側面に設けた連結部12に連結体５、5a…を係脱自在に取付けて
おり、全体の取付状態では蛇腹部３、3a…が少しずつ屈曲されて円弧状屈曲部を形成可能
としている。
【００２３】
連結体取付部４、4a…に設けた連結部12は、長手方向に所定間隔の空隙部13を有した前
後２個所で、側板７、7a、10、10a の外側に連結突起14、14a …を夫々設け、該連結突起
14、14a …の外側に連結体５、5a…の嵌合凹部15、15a …を設けると共に、２分割体の結
合（突き合わせ）面側に相互嵌合する係合凸部16、16a …及び係合凹部17、17a …を夫々
設けている。
尚、連結体取付部４、4a…や連結突起14、14a …の前後両端幅方向にリブ18、18a …を
突出形成すると共に、一対のリブ18、18a …の中間部で表面側に射出成形時の樹脂原料流
路が固化したゲート固化部19を形成している。
又、連結体取付部４、4a…の底板６にリブ18、18a …を突設したり、蛇腹部３、3a…の
下端を連結体取付部４、4a…の下端より高く設定することにより、蛇腹部３、3a…の下端
は走行路に接触しない。
【００２４】
連結体５、5a…は上下分割体の組付結合に際して、一側開口で他側連結の枢着揺動機能
、上下接合状態のロック機能を有した連結手段と成している。
上下一対の連結突起14、14a …の嵌合凹部15、15a …に嵌合自在な上下一対の嵌合棒体
20、20a …を連結側板21、21a で連結して単位連結体部材22、22a を一体形成し、一対の
単位連結体部材22、22a を中央の連結材23で一体化して連結体５、5a…を形成している。
連結体５、5a…における嵌合棒体20、20a …は断面円形状と成すと共に、嵌合棒体20、
20a …が嵌合自在な嵌合凹部15、15a …は、内径が嵌合棒体20、20a …と同径で外側に嵌
合棒体20、20a …の直径より狭い入口開口を有した略Ｃ形状で、嵌合棒体20、20a …の係
脱時には開口側の突出円弧部が弾性変形する。
又、連結体５、5a…における連結材23および内側の連結側板21、21a は、一対の連結突
起14、14a …の間の空隙部13に納まる様にしている。
【００２５】
樹脂材質としてはポリプロピレン樹脂、ポリアミド樹脂、塩化ビニール樹脂等の種々材
質が可能であり、蛇腹部３、3a…の繰り返し屈曲による耐久性が高いものが好ましい。
又、上下部収納体８、11の突き合わせ面で微少の摺接、接離が発生するため、上下部収
納体８、11の少なくとも突き合わせ面を摩擦低下材質と成すのが好ましく、例えば、上下
部収納体８、11の少なくとも一方を表面平滑性が優れたり、低磨耗性の材質としたり、表
面に潤滑皮膜を設けても良い。
又、上下部収納体８、11の少なくとも一方の収納体を透明と成して、収納空間２内に収
納した配線の状態を確認可能としても良い。
【００２６】
次に本発明に係る配線保護筒の作用について説明する。
図１に示す様に、本体と移動体の間に設けた配線保護装置は、移動体の移動により保護
筒１における中間の屈曲部が移動して走行する。
屈曲部の保護筒１は、蛇腹部３、3a…の内周側が収縮すると共に、外周側が拡開する様
に変形し、２辺の直線部と円弧状屈曲部で全体的にＵ字状に形態保持される。
【００２７】
次に、電線挿通について説明する。
図５に示す様に、一側（開口側）における上部収納体11の嵌合凹部15a に係合されてい
る連結体５の嵌合棒体20をドライバー等の板材を差し込んで離脱させて、下方の嵌合棒体
20a を枢軸として連結体５を下方回動させ、他側の連結体5a等を枢着部として、上部収納
体11を下部収納体８に対して上方回動させ、保護筒１の一側に挿通開口を設けて、下部収
納体８に配線等を挿通配置する。
挿通完了後に、上部収納体11を下方回動させて挿通開口を閉鎖すると共に、連結体５を
上方回動させ、嵌合棒体20を嵌合凹部15a に嵌合させてロックする。
【００２８】
上部収納体11を上方回動させた配線挿通時における他側の枢着部側の状態は、上部収納
体11の上方回動に伴って、上部収納体11の枢着部である連結体5aの上部にも操作力が作用
して、連結体5aは下部枢着部である嵌合棒体20を枢軸として後方側に回動し、枢着部側の
上下側板7a、10a も突き合わせ接合状態から離隔状態となり、上部収納体11は持ち上がっ
た状態で、枢着部側の奥方にも挿通空間が形成されて、挿通開口は前面側および奥方に大
きな開口状態となる。
【００２９】
配線挿通後の閉鎖操作時には、他側枢着側の係合凸部16a と係合凹部17a が係合した後
、一側開口側の係合凸部16と係合凹部17が係合して、下部収納体８に対して上部収納体11
が位置決めされ、上下の側板７、7a、10、10a は突き合わせされ、位置決めされた状態で
連結体５、5a…を係合してロックする。
【００３０】
以下、叙述の基本形態に対する改良例や応用例を説明する。
基本形態の保護筒１は正面が略矩形状で内部に収納空間２を有した２分割体と成し、即
ち、凹状の下部収納体８と逆凹状の上部収納体11を突き合わせたものであるが、下部収納
体８が屈曲自在な蛇腹部３、3a…と屈曲不可能な連結体取付部４、4a…が交互であれば上
部収納体11は種々変更可能であり、更に、取扱性向上や強度向上のために種々変更可能で
あり、又上下部収納体８、11の連結手段も少なくとも一側を開口可能に結合できれば連結
手段も種々変更可能である。
【００３１】
先ず、上部収納体11は、凹状の下部収納時８に対する蓋体の作用と上部収納空間の形成
作用を有しており、且つ、少なくとも一側を開口して配線等の挿通が可能な構成で以下の
様に変更可能である。
図６に示す様に、下部収納体８は基本形態のままで長尺のものであることに対して、上
部収納体11は長手方向で短尺化して分割した複数の単位上部収納体24、24a …を連続配置
したものである。
具体的には、基本形態の上部収納体11の定間隔（２つ置きや３つ置き等）の連結体取付
部４、4a…を幅方向に切断して長手方向で２分割し、分割体は蛇腹部３、3a…（中間に連
結体取付部４、4a…又は蛇腹部３、3a…を有した前後両端の蛇腹部３、3a…を含む）の前
後両端に連結体取付部４、4a…の分割部25、25a を有して長手方向で短尺化された単位上
部収納体24、24a …と成り、下部収納体８の上方に複数個の単位上部収納体24、24a …を
長手方向で連続配置している。
尚、連結体取付部４、4a…の分割部25、25a は両側に連結部12を夫々有し、下部収納体
８に対して連結自在と成し、又長手方向で２分割する連結体取付部４、4a…は２つ置き等
以外に１つ置きや隣接位置のものと成しても良く、短尺長さは適宜設定する。
【００３２】
かかる構成により、単位上部収納体24、24a …を下部収納体８に突き合わせ結合すると
、単位上部収納体24、24a …の前後両端も分割部25、25a の連結部12で下部収納体８に結
合し、配線挿通時には、長手方向の隣接部材とは独立して所定長さの単位上部収納体24、
24a …を下部収納体８に対して個々に開放閉鎖操作し、配線挿通を行う。
【００３３】
保護筒１は正面が略矩形枠状で内部に収納空間２を有すれば良いため、下部収納体８は
蛇腹部３、3a…と連結体取付部４、4a…の交互一体形成が必要であるが、構成変更可能な
上部収納体11の最も簡素な例としては、図７に示す様に、基本形態における蛇腹部３、3a
…を無くして、下部収納体８の連結体取付部４、4a…に取付ける長手方向同長で逆凹状の
連結体取付部４、4a…だけの上部蓋体26、26a …となる上部収納体11としても良い。
この場合には、連結体取付部４、4a…は逆凹状と成して収納空間２を大きくすることが
好ましいが、下部収納体８の側板７の上端に接触状態で突き合わせて、収納空間２を開放
閉鎖可能であれば逆凹状とせずに平面的なものと成しても良い。
かかる構成により、下部収納体８の連結体取付部４、4a…の上部に上部蓋体26、26a …
を取付けて、形成された収納空間２に電線挿通配置し、挿通操作は個々の上部蓋体26、26
a …の開放閉鎖で行う。
【００３４】
次に、上下部収納体８、11の一側を開口自在と成す連結部12と連結体５、5a…の改良例
を説明する。
図４、５に示す基本形態では、上部収納体11を上方揺動させる時に、連結体5aも後方揺
動して一側を開口させているのに対して、図８、９に示す改良形態では、下部収納体８に
対して上部収納体11が垂直状態となる。
具体的には、非開口側（枢着側）の連結体5aにおける下方の嵌合棒体20の外側に回動止
突起27を設け、組付時に連結突起14における嵌合凹部15への入口開口に回動止突起27が位
置している。
一側開口時には、回動止突起27は入口開口を形成する連結突起14の上下方壁面に当接し
、連結体5aの前後方揺動を抑止して下部収納体８に対して連結体5aを略垂直状態に維持す
ると共に、連結体5aの上方の嵌合棒体20a を枢軸として上部収納体11を９０度上方揺動さ
せることにより、下部収納体８に対して上部収納体11を略直角状態と成している。
更に、開口側の連結体５が下部収納体８と水平状態となる様に、嵌合棒体20a を枢軸と
して連結体５を９０度下方揺動させ、前面を全面開放する。
又、上部収納体11の閉鎖時には、上部収納体11の揺動基点側である連結体5aは下部収納
体８に対して直角状態を維持しており、連結体5aに対して上部収納体11を下方揺動させて
係合凸部16a を係合凹部17a に嵌入し、下部収納体８に対して上部収納体11を突き合わせ
て収納空間２を閉鎖する。
【００３５】
尚、枢着側の連結体5aの揺動抑止角度としては、上部収納体11の係合凸部16a が下部収
納体８の側板７の突き合わせ面に係止せずに、上部収納体11の係合凸部16a と下部収納体
８の係合凹部17a がスムーズに係合離脱できる様に、手前側に揺動せず外側（後方側）に
若干角度揺動可能となる様に、連結体5aの揺動角度を抑止することが好ましい。
尚、回動止突起27は非開口側の下方の嵌合棒体20だけに設けているが、開口側および非
開口側の連結体５、5a…は同一形状のものを使用している関係上、開口側の上方の嵌合棒
体20に回動止突起27を設けても何ら支障は無い。
【００３６】
次に、Ｕ字状組付時の円弧部は移動し、蛇腹部３、3a…は薄肉で変形を繰り返すために
、強度向上を図っている。
例えば、図１０、１１に示す様に、蛇腹部３、3a…の接合側端面で蛇腹波形部の谷部28
（谷底及び谷底と山頂の間の傾斜面で囲繞される略Ｕ字状域）に薄肉厚の面板29を設け、
上下部収納体８、11の面板29は組み合わせ時に面接触する。
又、図１２に示す様に、蛇腹部３、3a…の底板６部および天板９部で、或いは側板10、
10a 部を含めて、蛇腹波形部の山部28a の頂端を肉厚部30と成している。
尚、谷部28および山部28a は、収納空間２側（内側）に突出している部分を谷部28と称
し、その逆の外側に突出した部分を山部28a と称しており、又波形部は谷底28および山部
28a が細幅の平面部を有すると共に、それらを結合する傾斜面から成っているが、サイン
カーブ状としたり、谷底および山頂を円弧状としても良い。
【００３７】
次に、上下部収納体８、11の連結手段は、少なくとも一側を開口可能に結合できれば、
別途部材の連結体５、5a…を使用する基本形態の構成に限らず、例えば、図１３〜１８に
示す様な構成（上下部収納体８、11の連結体取付部４、4a…の骨格のみ表示している）も
可能である。
その一例としては、上下部収納体８、11の非開口側に揺動自在な接続手段を設けて下部
収納体８に対して上部収納体11を揺動自在と成したり、一側または両側を係合関係と成し
たり、図示しないが基本形態の連結手段（連結体５、5a…等）を一側に採用しても良い。
【００３８】
図１３、１４に示す例では、非開口側に揺動自在な接続手段として枢着手段31を設ける
と共に、開口側に係合離脱自在な係止手段32を設けており、枢着手段31としては、例えば
、下部収納体８に所定間隔を有して一対の受承体33、33a （図示は一方のみ）を突設する
と共に、該受承体33、33a の内面に受承凹部34、34a （図示は一方のみ）を形成している
。
一方、上部収納体11に一対の受承体33、33a の間に位置する嵌合体35を突設すると共に
、該嵌合体35の外側に形成した嵌合凸部36、36a （図示は一方のみ）を受承凹部34、34a 
内に位置させて、受承体33、33a の受承凹部34、34a 内で嵌合体35の嵌合凸部36、36a を
回動自在と成して、上下部収納体８、11の一側に設けた枢着手段31と成している。
又、他側の係止手段32としては、例えば、側板７の外側に係合突起37を有する係合部材
38を突設すると共に、該係合部材38が係合自在な係合座39を有する孔状又は凹状の被係合
部材40を設け、係合部材38等の弾性変形を利用して係合部材38と被係合部材37を係合離脱
自在と成している。
【００３９】
図１５、１６に示す例では、一側に揺動自在な接続手段として屈曲自在な薄肉連結体41
を設けると共に、他側に係合離脱自在な係止手段32を設けており、係止手段32は前記のも
の（係合部材38と被係合部材40）と同様であり、薄肉連結体41は、その両端を下部収納体
８の側板７の上端および天板９の側板７の下端に連結する様に一体形成し、薄肉連結体41
の屈曲自在性で下部収納体８に対して上部収納体11揺動自在に連結している。
【００４０】
図１７、１８に示す例では、両側共に、前記の係合部材38と被係合部材40から成る係止
手段32を設けており、電線挿通時には、下部収納体８に対して上部収納体11を完全に離脱
させ両側上面の全面を開口させる様にしている。
【図面の簡単な説明】
【００４１】
【図１】本発明に係る配線保護筒の使用状態を示す概略図である。
【図２】配線保護筒の部分平面図である。
【図３】図２の側面図である。
【図４】図２のＡ−Ａ断面図である。
【図５】開放時の断面図である。
【図６】上部収納体を長手方向で短尺化して連続設置した例を示す側面図である。
【図７】上部収納体を屈曲不可能な連結体取付部だけとした例を示す側面図である。
【図８】下方の嵌合棒体の外側に回動止突起を設けた例の閉鎖時の断面図である。
【図９】図８の例の開放時の断面図である。
【図１０】蛇腹部谷部の接合側端面に面板を設けた例の平面図である。
【図１１】図１０のＢ−Ｂ断面図である。
【図１２】蛇腹部の山部頂端を肉厚と成した例の断面図である。
【図１３】上下部収納体の連結手段として、一側に枢着部を、他側に係合離脱自在な係止手段を設けた例を示す簡略図である。
【図１４】図１３の例の開放時の断面図である。
【図１５】一側に薄肉連結体を、他側に係合離脱自在な係止手段を設けた例を示す簡略図である。
【図１６】図１５の例の開放時の断面図である。
【図１７】両側に係合離脱自在な係止手段を設けた例を示す簡略図である。
【図１８】図１７の例の開放時の断面図である。
【符号の説明】
【００４２】
２          収納空間
３、３a …  蛇腹部
４、４a …  連結体取付部
５、５a …  連結体
７、7a      側板
８          下部収納体
10、10a     側板
11          上部収納体
13          空隙部
14、14a …  連結突起
15、15a …  嵌合凹部
16、16a …  係合凸部
17、17a …  係合凹部
20、20a …  嵌合棒体
21、21a     連結側板
23          連結材
27          回動止突起
29          面板
30          肉厚部
31          枢着手段
32          係止手段
41          薄肉連結体
【図１】
2005312256.tif 000003
【図２】
2005312256.tif 000004
【図３】
2005312256.tif 000005
【図４】
2005312256.tif 000006
【図５】
2005312256.tif 000007
【図６】
2005312256.tif 000008
【図７】
2005312256.tif 000009
【図８】
2005312256.tif 000010
【図９】
2005312256.tif 000011
【図１０】
2005312256.tif 000012
【図１１】
2005312256.tif 000013
【図１２】
2005312256.tif 000014
【図１３】
2005312256.tif 000015
【図１４】
2005312256.tif 000016
【図１５】
2005312256.tif 000017
【図１６】
2005312256.tif 000018
【図１７】
2005312256.tif 000019
【図１８】
2005312256.tif 000020